(57)【要約】斜めブロックを有する広ネック式サイドグリップ卓球用ラケットであって、打球板（１０）と把持部（１００）とを含み、前記打球板（１０）の先端部に接続広ネック部（３０）が成形され、前記接続広ネック部（３０）の先端部に、上へ延伸するストレートグリップ部（３１）を有し、接続広ネック部（３０）の前後壁面にともに補強ブロック（２０）が固定され、接続広ネック部（３０）の後壁面に固定された補強ブロック（２０）の中部に、斜めブロック（４０）が固定され、接続広ネック部（３０）、ストレートグリップ部（３１）、補強ブロック（２０）及び斜めブロック（４０）が把持部（１００）を形成し、斜めブロック（４０）と打球板（１０）の先端部との間に溝（５０）を有し、接続広ネック部（３０）の後壁面に固定された補強ブロック（２０）の右端に、右へ延伸する延伸部（２３）を有し、延伸部（２３）の後壁面に突起部（２４）が固定又は成形され、接続広ネック部（３０）の前壁面に固定された補強ブロック（２０）の中部に、親指支持ブロック（６０）が固定される。本発明によれば、把持効果を高め、その親指支持ブロック（６０）によって掌の把持効果を高めるとともに、ストレートグリップ部（３１）が左にずれていることで、把持力を打球板（１０）の中心位置に移す。
2019514657.tif 000002
【特許請求の範囲】
【請求項１】
打球板（１０）と把持部（１００）とを含み、前記打球板（１０）の先端部に接続広ネック部（３０）が成形される斜めブロックを有する広ネック式サイドグリップ卓球用ラケットであって、
前記接続広ネック部（３０）の先端部に上へ延伸するストレートグリップ部（３１）を有し、接続広ネック部（３０）の前後壁面にともに補強ブロック（２０）が固定され、接続広ネック部（３０）の後壁面に固定された補強ブロック（２０）の中部に、斜めブロック（４０）が固定され、接続広ネック部（３０）、ストレートグリップ部（３１）、補強ブロック（２０）及び斜めブロック（４０）が把持部（１００）を形成し、斜めブロック（４０）と打球板（１０）の先端部との間に溝（５０）を有し、接続広ネック部（３０）の後壁面に固定された補強ブロック（２０）の右端に、右へ延伸する延伸部（２３）を有し、延伸部（２３）の後壁面に突起部（２４）が固定又は成形され、
接続広ネック部（３０）の前壁面に固定された補強ブロック（２０）の中部に、親指支持ブロック（６０）が固定されることを特徴とする斜めブロックを有する広ネック式サイドグリップ卓球用ラケット。
【請求項２】
前記補強ブロック（２０）は底部ブロック（２１）と垂直ブロック（２２）を含み、底部ブロック（２１）が接続広ネック部（３０）の前壁面又は後壁面に接着され、垂直ブロック（２２）がストレートグリップ部（３１）の前壁面又は後壁面に接着され、接続広ネック部（３０）の後壁面に接着された補強ブロック（２０）の底部ブロック（２１）の中部に、斜めブロック（４０）が固定されることを特徴とする請求項１に記載の斜めブロックを有する広ネック式サイドグリップ卓球用ラケット。
【請求項３】
前記補強ブロック（２０）は底部ブロック（２１）と垂直ブロック（２２）を含み、底部ブロック（２１）が接続広ネック部（３０）の前壁面又は後壁面に成形され、垂直ブロック（２２）がストレートグリップ部（３１）の前壁面又は後壁面に成形され、接続広ネック部（３０）の後壁面に成形された補強ブロック（２０）の底部ブロック（２１）の中部に、斜めブロック（４０）が固定されることを特徴とする請求項１に記載の斜めブロックを有する広ネック式サイドグリップ卓球用ラケット。
【請求項４】
前記親指支持ブロック（６０）の左側壁（６１）は親指の接触面と合わせる弧状面であることを特徴とする請求項１に記載の斜めブロックを有する広ネック式サイドグリップ卓球用ラケット。
【請求項５】
前記親指支持ブロック（６０）は打球板（１０）の垂直中心線（７０）に近接し、ストレートグリップ部（３１）は垂直中心線（７０）の左側の接続広ネック部（３０）の先端部に位置することを特徴とする請求項４に記載の斜めブロックを有する広ネック式サイドグリップ卓球用ラケット。
【請求項６】
前記溝（５０）の一側は斜めブロック（４０）の内側壁であり、斜めブロック（４０）の内側壁と打球板（１０）との間に鋭角の夾角をなすことを特徴とする請求項１に記載の斜めブロックを有する広ネック式サイドグリップ卓球用ラケット。
【請求項７】
前記突起部（２４）の後側壁は左から右に徐々に増大する弧状壁面であることを特徴とする請求項１に記載の斜めブロックを有する広ネック式サイドグリップ卓球用ラケット。
【請求項８】
前記打球板（１０）のフォア面又はバック面に被覆層（１１）が接着され、被覆層（１１）は紙やすり層又はラバー層であることを特徴とする請求項１に記載の斜めブロックを有する広ネック式サイドグリップ卓球用ラケット。
【請求項９】
前記接続広ネック部（３０）の左側に、内へ傾斜する面取り又は凹アークが上から下に設置されることを特徴とする請求項１に記載の斜めブロックを有する広ネック式サイドグリップ卓球用ラケット。
【請求項１０】
前記斜めブロック（４０）の右側に、右へ延伸する弧状斜角が上から下に設置され、前記斜めブロック（４０）の下縁が左から右に下へ徐々に傾斜することを特徴とする請求項１に記載の斜めブロックを有する広ネック式サイドグリップ卓球用ラケット。
【請求項１１】
前記親指支持ブロック（６０）は前記打球板（１０）の垂直中心線（７０）上にあり、前記親指支持ブロック（６０）は前記垂直中心線（７０）に対して傾斜して設置され、前記左側壁（６１）も前記垂直中心線（７０）に対して傾斜して設置されることを特徴とする請求項４に記載の斜めブロックを有する広ネック式サイドグリップ卓球用ラケット。
【請求項１２】
前記ストレートグリップ部（３１）の右側は前記垂直中心線（７０）からはみ出していることを特徴とする請求項４に記載の斜めブロックを有する広ネック式サイドグリップ卓球用ラケット。
【請求項１３】
前記突起部（２４）は中空であることを特徴とする請求項１に記載の斜めブロックを有する広ネック式サイドグリップ卓球用ラケット。
【請求項１４】
前記突起部（２４）に複数の穴又は貫通孔が設けられることを特徴とする請求項１に記載の斜めブロックを有する広ネック式サイドグリップ卓球用ラケット。
【請求項１５】
前記突起部（２４）は前記接続広ネック部（３０）の後壁面における補強ブロック（２０）の中部から右へ延伸することを特徴とする請求項１に記載の斜めブロックを有する広ネック式サイドグリップ卓球用ラケット。
【請求項１６】
前記接続広ネック部（３０）の後壁面における補強ブロック（２０）の右端に、右へ延伸する延伸部（２３）がなく、前記突起部（２４）は前記補強ブロック（２０）の後壁面に接着又は成形されることを特徴とする請求項１５に記載の斜めブロックを有する広ネック式サイドグリップ卓球用ラケット。
【請求項１７】
前記突起部（２４）、斜めブロック（４０）及び前記接続広ネック部（３０）の後壁面における補強ブロック（２０）が一体成形されることを特徴とする請求項１に記載の斜めブロックを有する広ネック式サイドグリップ卓球用ラケット。
【請求項１８】
前記親指支持ブロック（６０）と前記接続広ネック部（３０）の前壁面における補強ブロック（２０）が一体成形されることを特徴とする請求項１に記載の斜めブロックを有する広ネック式サイドグリップ卓球用ラケット。
【請求項１９】
前記溝（５０）は前記接続広ネック部（３０）の中部に近い幅が前記接続広ネック部（３０）の右側に近い幅よりも小さいことを特徴とする請求項１に記載の斜めブロックを有する広ネック式サイドグリップ卓球用ラケット。
【発明の詳細な説明】
【技術分野】
【０００１】
本発明はスポーツ器具の技術分野に関し、より具体的には、斜めブロックを有する広ネック式サイドグリップ卓球用ラケットに関する。
【背景技術】
【０００２】
現在、一般的な卓球ラケットはストレートグリップが中心線にある板にラバーを貼り付けたものであり、打ち方として、シェークハンドとペンホルダーを含み、ペンホルダーとは、具体的には握るのではなく、指でラケットをつかむように持ち、すなわち親指と人差し指で短ストレートグリップをつかみ、中指の中節をラケットのバック面に当て、薬指と小指を中指に重ね、又は中指、薬指及び小指を展開してバック面に当てる。２種の握り方はそれぞれの利点を有するが、大きな欠点がある。
【０００３】
従って、中国特許出願番号第ＣＮ２０４７０９７３５Ｕ号の広ネック部とバーを備えたサイドグリップ卓球用ラケットは、打球板の上部に広ネック部が設置され、バック面の先端部にバーが設置されることで、手首と肘の関節構造の機能に順応し、握る時、虎口がラケット本体と面一になり、掌が本体面に平行し、自然に両面でプレイでき、左の位置でも右の位置でもラケットヘッドが下に向き、しっかりと握り、威力があり、ラケット本体を柔軟にコントロールでき、それによりバックハンドでのバック面の打球有効面積を確保できるが、激しいバック面ドライブの場合、中指、薬指及び小指でクロスバーをつかむ時、把持力が不足し、バック面ドライブ効果を損ない、親指と掌部による接続広ネック部への押圧接触面積が足らず、親指の板面に対する圧力及び摩擦力によってのみラケットを把持すると力不足であり、さらに、そのストレートグリップ部が中間位置にあるため、把持時、掌の力の中心が打球板の中心位置ではなく打球板の右側に偏って、その打球効果と力を損なってしまう。
【発明の概要】
【０００４】
本発明は、従来技術の欠陥を克服して、把持効果を高め、且つその親指支持ブロックによって掌の把持効果を高めるとともに、ストレートグリップ部が左にずれていることで、把持力を打球板の中心位置に移して打球力と打球効果を高め、突起部によって掌を支持することで、把持効果をさらに高める斜めブロックを有する広ネック式サイドグリップ卓球用ラケットを提供することを目的とする。
【０００５】
本発明が前記技術的問題を解決する技術案は以下の通りである。
斜めブロックを有する広ネック式サイドグリップ卓球用ラケットであって、打球板と把持部とを含み、前記打球板の先端部に接続広ネック部が成形され、前記接続広ネック部の先端部に上へ延伸するストレートグリップ部を有し、接続広ネック部の前後壁面にともに補強ブロックが固定され、接続広ネック部の後壁面に固定された補強ブロックの中部に斜めブロックが固定され、接続広ネック部、ストレートグリップ部、補強ブロック及び斜めブロックが把持部を形成し、斜めブロックと打球板の先端部との間に溝を有し、接続広ネック部の後壁面に固定された補強ブロックの右端に、右へ延伸する延伸部を有し、延伸部の後壁面に突起部が固定又は成形され、
接続広ネック部の前壁面に固定された補強ブロックの中部に、親指支持ブロックが固定される。
【０００６】
前記補強ブロックは底部ブロックと垂直ブロックを含み、底部ブロックが接続広ネック部の前壁面又は後壁面に接着され、垂直ブロックがストレートグリップ部の前壁面又は後壁面に接着され、接続広ネック部の後壁面に接着された補強ブロックの底部ブロックの中部に、斜めブロックが固定される。
【０００７】
前記補強ブロックは底部ブロックと垂直ブロックを含み、底部ブロックが接続広ネック部の前壁面又は後壁面に成形され、垂直ブロックがストレートグリップ部の前壁面又は後壁面に成形され、接続広ネック部の後壁面に成形された補強ブロックの底部ブロックの中部に、斜めブロックが固定される。
【０００８】
前記親指支持ブロックの左側壁は親指の接触面と合わせる弧状面である。
【０００９】
前記親指支持ブロックは打球板の垂直中心線に近接し、ストレートグリップ部は垂直中心線の左側の接続広ネック部の先端部に位置する。
【００１０】
前記溝の一側は斜めブロックの内側壁であり、斜めブロックの内側壁と打球板との間に鋭角の夾角をなす。
【００１１】
前記突起部の後側壁は左から右に徐々に増大する弧状壁面である。
【００１２】
前記打球板のフォア面又はバック面に被覆層が接着され、被覆層は紙やすり層又はラバー層である。
【００１３】
前記接続広ネック部の左側に、内へ傾斜する面取り又は凹アークが上から下に設置される。
【００１４】
前記斜めブロックの右側に、右へ延伸する弧状斜角が上から下に設置され、前記斜めブロックの下縁が左から右に下へ徐々に傾斜する。
【００１５】
前記親指支持ブロックは前記打球板の垂直中心線上にあり、前記親指支持ブロックは前記垂直中心線に対して傾斜して設置され、前記左側壁も前記垂直中心線に対して傾斜して設置される。
【００１６】
前記ストレートグリップ部の右側は前記垂直中心線からはみ出している。
【００１７】
前記突起部は中空である。又は、前記突起部に複数の穴又は貫通孔が設けられる。
【００１８】
前記突起部は前記接続広ネック部の後壁面における補強ブロックの中部から右へ延伸する。
【００１９】
前記接続広ネック部の後壁面における補強ブロックの右端に、右へ延伸する延伸部がなく、前記突起部は前記補強ブロックの後壁面に接着又は成形される。
【００２０】
前記突起部、斜めブロック及び前記接続広ネック部の後壁面における補強ブロックが一体成形される。
【００２１】
前記親指支持ブロックと前記接続広ネック部の前壁面における補強ブロックが一体成形される。
【００２２】
前記溝は前記接続広ネック部の中部に近い幅が前記接続広ネック部の右側に近い幅よりも小さい。
【００２３】
本発明の顕著な効果については、把持効果を高め、且つその親指支持ブロックによって掌の把持効果を高めるとともに、ストレートグリップ部が左にずれていることで、把持力を打球板の中心位置に移して打球力と打球効果を高め、突起部によって掌を支持することで、把持や発力効果を更に高める。
【図面の簡単な説明】
【００２４】
図１は本発明の実施例１の構成模式図である。
図２は本発明の実施例１のバック面の部分構成模式図である。
図３は本発明の実施例１の部分側面図である。
図４は本発明の把持時のバック面の模式図である。
図５は本発明の把持時のフォア面の模式図である。
図６は本発明の実施例２の正面図である。
図７は本発明の実施例２の背面図である。
図８は本発明の実施例２の上面図である。
図９は本発明の実施例３の上面図である。
【発明を実施するための形態】
【００２５】
本発明の目的、技術案及び利点をより明確にするために、以下、図面を参照して本発明の実施形態をさらに詳細に説明する。
【００２６】
実施例１
本実施例は図１〜図５に示され、斜めブロックを有する広ネック式サイドグリップ卓球用ラケットは、打球板１０と把持部１００とを含み、前記打球板１０の先端部に接続広ネック部３０が成形され、前記接続広ネック部３０の先端部に、上へ延伸するストレートグリップ部３１を有し、接続広ネック部３０の前後壁面にともに補強ブロック２０が固定され、接続広ネック部３０の後壁面に固定された補強ブロック２０の中部に、斜めブロック４０が固定され、接続広ネック部３０、ストレートグリップ部３１、補強ブロック２０及び斜めブロック４０が把持部１００を形成し、斜めブロック４０と打球板１０の先端部との間に溝５０を有し、接続広ネック部３０の後壁面に固定された補強ブロック２０の右端に、右へ延伸する延伸部２３を有し、延伸部２３の後壁面に突起部２４が固定又は成形され、
接続広ネック部３０の前壁面に固定された補強ブロック２０の中部に、親指支持ブロック６０が固定される。
【００２７】
前記補強ブロック２０は底部ブロック２１と垂直ブロック２２を含み、底部ブロック２１が接続広ネック部３０の前壁面又は後壁面に接着され、垂直ブロック２２がストレートグリップ部３１の前壁面又は後壁面に接着され、接続広ネック部３０の後壁面に接着された補強ブロック２０の底部ブロック２１の中部に、斜めブロック４０が固定される。
【００２８】
前記補強ブロック２０は底部ブロック２１と垂直ブロック２２を含み、底部ブロック２１が接続広ネック部３０の前壁面又は後壁面に成形され、垂直ブロック２２がストレートグリップ部３１の前壁面又は後壁面に成形され、接続広ネック部３０の後壁面に成形された補強ブロック２０の底部ブロック２１の中部に、斜めブロック４０が固定される。
【００２９】
前記親指支持ブロック６０の左側壁６１は親指の接触面と合わせる弧状面である。
【００３０】
前記親指支持ブロック６０は打球板１０の垂直中心線７０に近接し、ストレートグリップ部３１は垂直中心線７０の左側の接続広ネック部３０の先端部に位置する。
【００３１】
前記溝５０の一側は斜めブロック４０の内側壁であり、斜めブロック４０の内側壁と打球板１０との間に鋭角の夾角をなす。
【００３２】
溝５０は接続広ネック部３０の中部に近い幅が接続広ネック部３０の右側に近い幅よりも小さく、上面図から見て斜めブロック４０も傾斜していることで、中指、薬指及び小指が力を加えやすい。小指の長さが短いため、このような設計ではさらに小指が斜めブロック４０に掛けやすい。
【００３３】
前記突起部２４の後側壁は左から右に徐々に増大する弧状壁面である。
【００３４】
前記打球板１０のフォア面又はバック面に被覆層１１が接着され、被覆層１１は紙やすり層又はラバー層である。
【００３５】
本実施例は右利き用の構造である。
【００３６】
サイドグリップ時、斜めブロック４０が増設されたことで、手でつまむ時、中指、薬指及び小指で斜めブロック４０をつかむと同時に、中指、薬指及び小指の末節を溝５０内に斜め挿入することで、しっかりと快適に把持でき、把持力を高め、特に溝５０内に挿入された３つの指の末節は左に当て、指の末端が右に引掛けることができ、中指の末端を溝５０内に挿入せず打球板１０の中部に当ててもよく、従来のペンホルダーでは力を出しやすい。親指を接続広ネック部３０の前壁面に押圧し且つ親指支持ブロック６０に押圧し、人差し指で接続広ネック部３０の側辺をつかみ、接続広ネック部３０と突起部２４が掌を支持することで、把持力を更に高め、斜めブロック４０における３つの指のつまみ力とともにカップルを形成し、さらに力を出しやすく、また、ストレートグリップ部３１が垂直中心線７０の左側の接続広ネック部３０の先端部に位置することで、手で把持する時、力の中心を打球板１０の中心位置に移動させ、打球力を確保し、打球効果を高める。
【００３７】
また、サイドグリップ時、虎口がラケットと面一になり、掌がラケット面に平行し、掌とラケットが一致し、自然に両面でプレイできる。左の位置でも右の位置でもラケットヘッドが自然に下に向き、従来のシェークハンドバックアーク角度よりも９０°増加し、それによりラケットアークの行程を増加させ、回転威力のより高いボールを打てる。台内のミドル及びミドルの右寄りのボールに対して、左側からボールを打撃することで右側回転攻撃を行う。また、バック面では中指と薬指と小指との３本の指をラケット本体の中心に近い斜めブロックに当てることで、ラケット本体をよくコントロールして感じることができ、且つ打球領域の有効面積をほぼ占有しない。要するに、手首と肘の関節構造の機能に順応し、把持部１００の構造の力点が多く、ラケットを全方位でしっかりと握ることができ、体の力をラケットに高効率に伝達でき、従来のストレートグリップラケットの２種の握り方のすべての欠点を完璧に解決し、さらに新規な打ち方を開発した。
【００３８】
本実施例では、接続広ネック部３０の一端に横部が右へ横方向に延伸して設置され、横部が延伸部２３の前壁面に接着され、横部が延伸部２３と同じサイズであることで、把持部１００全体の強度を高め、この構造についての図示や詳細説明を省略する。
【００３９】
実施例２
本実施例は図６、図７、図８に示され、実施例１との相違点として、接続広ネック部３０の左側に、内へ傾斜する面取り又は凹アークが上から下に設置される。該面取りは直角辺構造であり、凹アークは弧状辺構造であり、好ましくは弧状辺構造である。該面取り又は凹アークを設置することで、人差し指が接続広ネック部３０をつかみやすい。
【００４０】
斜めブロック４０の右側に、右へ延伸する弧状斜角が上から下に設置される。斜めブロック４０は指が把握しやすいために十分な幅が必要であるが、全体を板状とする必要がなく、右側を斜角状とすることで、指に支持面を提供するだけでなく、ラケットの重量を軽減させることができる。
【００４１】
斜めブロック４０の下縁は左から右に下へ徐々に傾斜する形状をすることで、同様に小指が斜めブロック４０をつかみやすく、小指の長さが短いからである。
【００４２】
本実施例では、親指支持ブロック６０が打球板１０の垂直中心線７０上にあり、親指支持ブロック６０が垂直中心線７０に対して傾斜して設置され、左側壁６１も垂直中心線７０に対して傾斜して設置される。それにより、親指支持ブロック６０による親指の支持快適性を高めるだけでなく、親指が力を加えやすい。
【００４３】
本実施例では、ストレートグリップ部３１の右側が垂直中心線７０からはみ出しており、はみ出しサイズは大きすぎてはならず、実際の必要に応じて設計できる。それにより、接続広ネック部３０の左側からストレートグリップ部３１の右側までの距離を増加させ、把持部１００が広い掌によく適応できる。
【００４４】
本実施例では、突起部２４は中空である（未図示）。それにより、構造強度を確保する上に、ラケットの重量をできるだけ軽減させることができる。
【００４５】
又は、図８に示されるように、突起部２４に複数の孔洞２５又は貫通孔が設けられ、穴２５は突起部２４本体を貫通していない。これらの穴又は貫通孔の軸方向は上下方向としてもよく、前後方向としてもよく、好ましくは上下方向とする。
【００４６】
本実施例では、卓球ラケットのほかの構造は実施例１と同様であり、ここでは重複説明を省略する。
【００４７】
本実施例では、卓球ラケットも右利き用の構造であり、左利き用の卓球ラケットは、卓球ラケットの把持部１００を左右鏡面対称で設計すればよく、ここでは重複説明を省略する。
【００４８】
図８に示されるように、本実施例では、接続広ネック部３０の後壁面における補強ブロック２０の右端に、右へ延伸する延伸部２３がなく、突起部２４が補強ブロック２０の後壁面に接着又は成形される。突起部２４の左端が接続広ネック部３０の後壁面における補強ブロック２０の中部まで延伸し、すなわち突起部２４が接続広ネック部３０の後壁面における補強ブロック２０の中部から右へ延伸する。
【００４９】
突起部２４の後側壁は左から右に徐々に増大する弧状壁面であり、該弧状壁面も接続広ネック部３０の後壁面における補強ブロック２０の中部から右へ突起部２４の右端まで延伸する。
【００５０】
図２からわかるように、突起部２４の左端が接続広ネック部３０の後壁面における補強ブロック２０の中部まで延伸する。本実施例では、延伸部２３を撤去し、突起部２４のみが設置されており、実施例１では突起部２４が延伸部２３に設置される構造に相当し、技術効果も同じである。特に突起部２４が延伸部２３の後壁面に成形される場合、突起部２４が補強ブロック２０の後壁面に成形される構造と完全に同じである。
【００５１】
突起部２４、斜めブロック４０が接続広ネック部３０の後壁面における補強ブロック２０（具体的な位置が底部ブロック２１にある）に接着され、さらに突起部２４、斜めブロック４０及び接続広ネック部３０の後壁面における補強ブロック２０が一体成形されてもよく、例えば１枚の木を彫刻して成形される。
【００５２】
親指支持ブロック６０が接続広ネック部３０の前壁面における補強ブロック２０（具体的な位置が底部ブロック２１にある）に接着され、さらに親指支持ブロック６０と接続広ネック部３０の前壁面における補強ブロック２０が一体成形されてもよく、例えば１枚の木を彫刻して成形される。
【００５３】
実施例３
本実施例は図９に示され、実施例２との相違点として、接続広ネック部３０の右端に面取りが設置され、突起部２４の外側面と自然な移行を形成する。それにより、接続広ネック部３０の右端が滑らかになり、接続広ネック部３０を把握しやすい。
【００５４】
本実施例では卓球ラケットのほかの構造は実施例２と同じであり、ここでは重複説明を省略する。
【００５５】
なお、以上の実施の形態は、本発明を説明するためのものに過ぎず、本発明を限定するものではない。当業者であれば、本発明の趣旨及び範囲を逸脱せずに、様々な変更や変形を行うことができ、従って、すべての同等技術案も本発明の範囲に属し、本発明の特許保護範囲は特許請求の範囲に定められる。
【符号の説明】
【００５６】
１０．  打球板；１１．  被覆層；１００．  把持部；２０．  補強ブロック；２１．  底部ブロック；２２．  垂直ブロック；２３．  延伸部；２４．  突起部；２５．  穴；３０．  接続広ネック部；３１．  ストレートグリップ部；４０．  斜めブロック；５０．溝；６０．  親指支持ブロック；６１．  左側壁；７０．垂直中心線。
【図１】
2019514657.tif 000003
【図２】
2019514657.tif 000004
【図３】
2019514657.tif 000005
【図４】
2019514657.tif 000006
【図５】
2019514657.tif 000007
【図６】
2019514657.tif 000008
【図７】
2019514657.tif 000009
【図８】
2019514657.tif 000010
【図９】
2019514657.tif 000011
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
打球板（１０）と把持部（１００）とを含み、前記打球板（１０）の先端部に接続広ネック部（３０）が成形される斜めブロックを有する広ネック式サイドグリップ卓球用ラケットであって、
前記接続広ネック部（３０）の先端部に上へ延伸するストレートグリップ部（３１）を有し、接続広ネック部（３０）の前後壁面にともに補強ブロック（２０）が固定され、接続広ネック部（３０）の後壁面に固定された補強ブロック（２０）の中部に、斜めブロック（４０）が固定され、接続広ネック部（３０）、ストレートグリップ部（３１）、補強ブロック（２０）及び斜めブロック（４０）が把持部（１００）を形成し、斜めブロック（４０）と打球板（１０）の先端部との間に溝（５０）を有し、接続広ネック部（３０）の後壁面に固定された補強ブロック（２０）の右端に、右へ延伸する延伸部（２３）を有し、延伸部（２３）の後壁面に突起部（２４）が固定又は成形され、
接続広ネック部（３０）の前壁面に固定された補強ブロック（２０）の中部に、親指支持ブロック（６０）が固定されることを特徴とする斜めブロックを有する広ネック式サイドグリップ卓球用ラケット。
【請求項２】
前記補強ブロック（２０）は底部ブロック（２１）と垂直ブロック（２２）を含み、底部ブロック（２１）が接続広ネック部（３０）の前壁面又は後壁面に接着され、垂直ブロック（２２）がストレートグリップ部（３１）の前壁面又は後壁面に接着され、接続広ネック部（３０）の後壁面に接着された補強ブロック（２０）の底部ブロック（２１）の中部に、斜めブロック（４０）が固定されることを特徴とする請求項１に記載の斜めブロックを有する広ネック式サイドグリップ卓球用ラケット。
【請求項３】
前記補強ブロック（２０）は底部ブロック（２１）と垂直ブロック（２２）を含み、底部ブロック（２１）が接続広ネック部（３０）の前壁面又は後壁面に成形され、垂直ブロック（２２）がストレートグリップ部（３１）の前壁面又は後壁面に成形され、接続広ネック部（３０）の後壁面に成形された補強ブロック（２０）の底部ブロック（２１）の中部に、斜めブロック（４０）が固定されることを特徴とする請求項１に記載の斜めブロックを有する広ネック式サイドグリップ卓球用ラケット。
【請求項４】
前記親指支持ブロック（６０）の左側壁（６１）は親指の接触面と合わせる弧状面であることを特徴とする請求項１に記載の斜めブロックを有する広ネック式サイドグリップ卓球用ラケット。
【請求項５】
前記親指支持ブロック（６０）は打球板（１０）の垂直中心線（７０）に近接し、ストレートグリップ部（３１）は垂直中心線（７０）の左側の接続広ネック部（３０）の先端部に位置することを特徴とする請求項４に記載の斜めブロックを有する広ネック式サイドグリップ卓球用ラケット。
【請求項６】
前記溝（５０）の一側は斜めブロック（４０）の内側壁であり、斜めブロック（４０）の内側壁と打球板（１０）との間に鋭角の夾角をなすことを特徴とする請求項１に記載の斜めブロックを有する広ネック式サイドグリップ卓球用ラケット。
【請求項７】
前記突起部（２４）の後側壁は左から右に徐々に増大する弧状壁面であることを特徴とする請求項１に記載の斜めブロックを有する広ネック式サイドグリップ卓球用ラケット。
【請求項８】
前記打球板（１０）のフォア面又はバック面に被覆層（１１）が接着され、被覆層（１１）は紙やすり層又はラバー層であることを特徴とする請求項１に記載の斜めブロックを有する広ネック式サイドグリップ卓球用ラケット。
【請求項９】
前記接続広ネック部（３０）の左側に、内へ傾斜する面取り又は凹アークが上から下に設置されることを特徴とする請求項１に記載の斜めブロックを有する広ネック式サイドグリップ卓球用ラケット。
【請求項１０】
前記ストレートグリップ部（３１）の右側は前記打球板（１０）の垂直中心線（７０）からはみ出していることを特徴とする請求項１に記載の斜めブロックを有する広ネック式サイドグリップ卓球用ラケット。
【請求項１１】
前記突起部（２４）は前記接続広ネック部（３０）の後壁面における補強ブロック（２０）の中部から右へ延伸することを特徴とする請求項１に記載の斜めブロックを有する広ネック式サイドグリップ卓球用ラケット。
【請求項１２】
前記接続広ネック部（３０）の後壁面における補強ブロック（２０）の右端に、右へ延伸する延伸部（２３）がなく、前記突起部（２４）は前記補強ブロック（２０）の後壁面に接着又は成形されることを特徴とする請求項１１に記載の斜めブロックを有する広ネック式サイドグリップ卓球用ラケット。
【請求項１３】
前記突起部（２４）、斜めブロック（４０）及び前記接続広ネック部（３０）の後壁面における補強ブロック（２０）が一体成形されることを特徴とする請求項１に記載の斜めブロックを有する広ネック式サイドグリップ卓球用ラケット。
【請求項１４】
前記親指支持ブロック（６０）と前記接続広ネック部（３０）の前壁面における補強ブロック（２０）が一体成形されることを特徴とする請求項１に記載の斜めブロックを有する広ネック式サイドグリップ卓球用ラケット。
【手続補正２】
【補正対象書類名】明細書
【補正対象項目名】全文
【補正方法】変更
【補正の内容】
【発明の詳細な説明】
【技術分野】
【０００１】
本発明はスポーツ器具の技術分野に関し、より具体的には、斜めブロックを有する広ネック式サイドグリップ卓球用ラケットに関する。
【背景技術】
【０００２】
現在、一般的な卓球ラケットはストレートグリップが中心線にある板にラバーを貼り付けたものであり、打ち方として、シェークハンドとペンホルダーを含み、ペンホルダーとは、具体的には握るのではなく、指でラケットをつかむように持ち、すなわち親指と人差し指で短ストレートグリップをつかみ、中指の中節をラケットのバック面に当て、薬指と小指を中指に重ね、又は中指、薬指及び小指を展開してバック面に当てる。２種の握り方はそれぞれの利点を有するが、大きな欠点がある。
【０００３】
従って、中国特許出願番号第ＣＮ２０４７０９７３５Ｕ号の広ネック部とバーを備えたサイドグリップ卓球用ラケットは、打球板の上部に広ネック部が設置され、バック面の先端部にバーが設置されることで、手首と肘の関節構造の機能に順応し、握る時、虎口がラケット本体と面一になり、掌が本体面に平行し、自然に両面でプレイでき、左の位置でも右の位置でもラケットヘッドが下に向き、しっかりと握り、威力があり、ラケット本体を柔軟にコントロールでき、それによりバックハンドでのバック面の打球有効面積を確保できるが、激しいバック面ドライブの場合、中指、薬指及び小指でクロスバーをつかむ時、把持力が不足し、バック面ドライブ効果を損ない、親指と掌部による接続広ネック部への押圧接触面積が足らず、親指の板面に対する圧力及び摩擦力によってのみラケットを把持すると力不足であり、さらに、そのストレートグリップ部が中間位置にあるため、把持時、掌の力の中心が打球板の中心位置ではなく打球板の右側に偏って、その打球効果と力を損なってしまう。
【発明の概要】
【０００４】
本発明は、従来技術の欠陥を克服して、把持効果を高め、且つその親指支持ブロックによって掌の把持効果を高めるとともに、ストレートグリップ部が左にずれていることで、把持力を打球板の中心位置に移して打球力と打球効果を高め、突起部によって掌を支持することで、把持効果をさらに高める斜めブロックを有する広ネック式サイドグリップ卓球用ラケットを提供することを目的とする。
【０００５】
本発明が前記技術的問題を解決する技術案は以下の通りである。
斜めブロックを有する広ネック式サイドグリップ卓球用ラケットであって、打球板と把持部とを含み、前記打球板の先端部に接続広ネック部が成形され、前記接続広ネック部の先端部に上へ延伸するストレートグリップ部を有し、接続広ネック部の前後壁面にともに補強ブロックが固定され、接続広ネック部の後壁面に固定された補強ブロックの中部に斜めブロックが固定され、接続広ネック部、ストレートグリップ部、補強ブロック及び斜めブロックが把持部を形成し、斜めブロックと打球板の先端部との間に溝を有し、接続広ネック部の後壁面に固定された補強ブロックの右端に、右へ延伸する延伸部を有し、延伸部の後壁面に突起部が固定又は成形され、
接続広ネック部の前壁面に固定された補強ブロックの中部に、親指支持ブロックが固定される。
【０００６】
前記補強ブロックは底部ブロックと垂直ブロックを含み、底部ブロックが接続広ネック部の前壁面又は後壁面に接着され、垂直ブロックがストレートグリップ部の前壁面又は後壁面に接着され、接続広ネック部の後壁面に接着された補強ブロックの底部ブロックの中部に、斜めブロックが固定される。
【０００７】
前記補強ブロックは底部ブロックと垂直ブロックを含み、底部ブロックが接続広ネック部の前壁面又は後壁面に成形され、垂直ブロックがストレートグリップ部の前壁面又は後壁面に成形され、接続広ネック部の後壁面に成形された補強ブロックの底部ブロックの中部に、斜めブロックが固定される。
【０００８】
前記親指支持ブロックの左側壁は親指の接触面と合わせる弧状面である。
【０００９】
前記親指支持ブロックは打球板の垂直中心線に近接し、ストレートグリップ部は垂直中心線の左側の接続広ネック部の先端部に位置する。
【００１０】
前記溝の一側は斜めブロックの内側壁であり、斜めブロックの内側壁と打球板との間に鋭角の夾角をなす。
【００１１】
前記突起部の後側壁は左から右に徐々に増大する弧状壁面である。
【００１２】
前記打球板のフォア面又はバック面に被覆層が接着され、被覆層は紙やすり層又はラバー層である。
【００１３】
前記接続広ネック部の左側に、内へ傾斜する面取り又は凹アークが上から下に設置される。
【００１４】
前記斜めブロックの右側に、右へ延伸する弧状斜角が上から下に設置され、前記斜めブロックの下縁が左から右に下へ徐々に傾斜する。
【００１５】
前記親指支持ブロックは前記打球板の垂直中心線上にあり、前記親指支持ブロックは前記垂直中心線に対して傾斜して設置され、前記左側壁も前記垂直中心線に対して傾斜して設置される。
【００１６】
前記ストレートグリップ部の右側は前記垂直中心線からはみ出している。
【００１７】
前記突起部は中空である。又は、前記突起部に複数の穴又は貫通孔が設けられる。
【００１８】
前記突起部は前記接続広ネック部の後壁面における補強ブロックの中部から右へ延伸する。
【００１９】
前記接続広ネック部の後壁面における補強ブロックの右端に、右へ延伸する延伸部がなく、前記突起部は前記補強ブロックの後壁面に接着又は成形される。
【００２０】
前記突起部、斜めブロック及び前記接続広ネック部の後壁面における補強ブロックが一体成形される。
【００２１】
前記親指支持ブロックと前記接続広ネック部の前壁面における補強ブロックが一体成形される。
【００２２】
前記溝は前記接続広ネック部の中部に近い幅が前記接続広ネック部の右側に近い幅よりも小さい。
【００２３】
本発明の顕著な効果については、把持効果を高め、且つその親指支持ブロックによって掌の把持効果を高めるとともに、ストレートグリップ部が左にずれていることで、把持力を打球板の中心位置に移して打球力と打球効果を高め、突起部によって掌を支持することで、把持や発力効果を更に高める。
【図面の簡単な説明】
【００２４】
図１は本発明の実施例１の構成模式図である。
図２は本発明の実施例１のバック面の部分構成模式図である。
図３は本発明の実施例１の部分側面図である。
図４は本発明の把持時のバック面の模式図である。
図５は本発明の把持時のフォア面の模式図である。
図６は本発明の実施例２の正面図である。
図７は本発明の実施例２の背面図である。
図８は本発明の実施例２の上面図である。
図９は本発明の実施例３の上面図である。
【発明を実施するための形態】
【００２５】
本発明の目的、技術案及び利点をより明確にするために、以下、図面を参照して本発明の実施形態をさらに詳細に説明する。
【００２６】
実施例１
本実施例は図１〜図５に示され、斜めブロックを有する広ネック式サイドグリップ卓球用ラケットは、打球板１０と把持部１００とを含み、前記打球板１０の先端部に接続広ネック部３０が成形され、前記接続広ネック部３０の先端部に、上へ延伸するストレートグリップ部３１を有し、接続広ネック部３０の前後壁面にともに補強ブロック２０が固定され、接続広ネック部３０の後壁面に固定された補強ブロック２０の中部に、斜めブロック４０が固定され、接続広ネック部３０、ストレートグリップ部３１、補強ブロック２０及び斜めブロック４０が把持部１００を形成し、斜めブロック４０と打球板１０の先端部との間に溝５０を有し、接続広ネック部３０の後壁面に固定された補強ブロック２０の右端に、右へ延伸する延伸部２３を有し、延伸部２３の後壁面に突起部２４が固定又は成形され、
接続広ネック部３０の前壁面に固定された補強ブロック２０の中部に、親指支持ブロック６０が固定される。
【００２７】
前記補強ブロック２０は底部ブロック２１と垂直ブロック２２を含み、底部ブロック２１が接続広ネック部３０の前壁面又は後壁面に接着され、垂直ブロック２２がストレートグリップ部３１の前壁面又は後壁面に接着され、接続広ネック部３０の後壁面に接着された補強ブロック２０の底部ブロック２１の中部に、斜めブロック４０が固定される。
【００２８】
前記補強ブロック２０は底部ブロック２１と垂直ブロック２２を含み、底部ブロック２１が接続広ネック部３０の前壁面又は後壁面に成形され、垂直ブロック２２がストレートグリップ部３１の前壁面又は後壁面に成形され、接続広ネック部３０の後壁面に成形された補強ブロック２０の底部ブロック２１の中部に、斜めブロック４０が固定される。
【００２９】
前記親指支持ブロック６０の左側壁６１は親指の接触面と合わせる弧状面である。
【００３０】
前記親指支持ブロック６０は打球板１０の垂直中心線７０に近接し、ストレートグリップ部３１は垂直中心線７０の左側の接続広ネック部３０の先端部に位置する。
【００３１】
前記溝５０の一側は斜めブロック４０の内側壁であり、斜めブロック４０の内側壁と打球板１０との間に鋭角の夾角をなす。
【００３２】
溝５０は接続広ネック部３０の中部に近い幅が接続広ネック部３０の右側に近い幅よりも小さく、上面図から見て斜めブロック４０も傾斜していることで、中指、薬指及び小指が力を加えやすい。小指の長さが短いため、このような設計ではさらに小指が斜めブロック４０に掛けやすい。
【００３３】
前記突起部２４の後側壁は左から右に徐々に増大する弧状壁面である。
【００３４】
前記打球板１０のフォア面又はバック面に被覆層１１が接着され、被覆層１１は紙やすり層又はラバー層である。
【００３５】
本実施例は右利き用の構造である。
【００３６】
サイドグリップ時、斜めブロック４０が増設されたことで、手でつまむ時、中指、薬指及び小指で斜めブロック４０をつかむと同時に、中指、薬指及び小指の末節を溝５０内に斜め挿入することで、しっかりと快適に把持でき、把持力を高め、特に溝５０内に挿入された３つの指の末節は左に当て、指の末端が右に引掛けることができ、中指の末端を溝５０内に挿入せず打球板１０の中部に当ててもよく、従来のペンホルダーでは力を出しやすい。親指を接続広ネック部３０の前壁面に押圧し且つ親指支持ブロック６０に押圧し、人差し指で接続広ネック部３０の側辺をつかみ、接続広ネック部３０と突起部２４が掌を支持することで、把持力を更に高め、斜めブロック４０における３つの指のつまみ力とともにカップルを形成し、さらに力を出しやすく、また、ストレートグリップ部３１が垂直中心線７０の左側の接続広ネック部３０の先端部に位置することで、手で把持する時、力の中心を打球板１０の中心位置に移動させ、打球力を確保し、打球効果を高める。親指が親指支持ブロックの右側壁面に左から当接してもよく、左向きの力を増加させることができる。
【００３７】
また、サイドグリップ時、虎口がラケットと面一になり、掌がラケット面に平行し、掌とラケットが一致し、自然に両面でプレイできる。左の位置でも右の位置でもラケットヘッドが自然に下に向き、従来のシェークハンドバックアーク角度よりも９０°増加し、それによりラケットアークの行程を増加させ、回転威力のより高いボールを打てる。台内のミドル及びミドルの右寄りのボールに対して、左側からボールを打撃することで右側回転攻撃を行う。また、バック面では中指と薬指と小指との３本の指をラケット本体の中心に近い斜めブロックに当てることで、ラケット本体をよくコントロールして感じることができ、且つ打球領域の有効面積をほぼ占有しない。要するに、手首と肘の関節構造の機能に順応し、把持部１００の構造の力点が多く、ラケットを全方位でしっかりと握ることができ、体の力をラケットに高効率に伝達でき、従来のストレートグリップラケットの２種の握り方のすべての欠点を完璧に解決し、さらに新規な打ち方を開発した。
【００３８】
本実施例では、接続広ネック部３０の一端に横部が右へ横方向に延伸して設置され、横部が延伸部２３の前壁面に接着され、横部が延伸部２３と同じサイズであることで、把持部１００全体の強度を高め、この構造についての図示や詳細説明を省略する。
本実施例では、図１における左広ネックが狭められ、親指支持ブロックは、大きくして、下壁面の断面が台形と類似するくさび形ブロックに形成され、位置が左側に偏って、左隅側と広ネックの左側縁とが位置あわせされるようにしてもよく、握る時、人差し指が支持ブロックの下壁面に当て、親指が支持ブロックの右側壁面に左から当接し、この時、グリップは、ハーフサイドグリップである。左広ネックの左側縁を内へ傾斜させてもよく、グリップは従来のペンホルダーと類似し、ペンホルダーとサイドグリップとを柔軟的に変換することができる。
【００３９】
実施例２
本実施例は図６、図７、図８に示され、実施例１との相違点として、接続広ネック部３０の左側に、内へ傾斜する面取り又は凹アークが上から下に設置される。該面取りは直角辺構造であり、凹アークは弧状辺構造であり、好ましくは弧状辺構造である。該面取り又は凹アークを設置することで、人差し指が接続広ネック部３０をつかみやすい。
【００４０】
斜めブロック４０の右側に、右へ延伸する弧状斜角が上から下に設置される。斜めブロック４０は指が把握しやすいために十分な幅が必要であるが、全体を板状とする必要がなく、右側を斜角状とすることで、指に支持面を提供するだけでなく、ラケットの重量を軽減させることができる。
【００４１】
斜めブロック４０の下縁は左から右に下へ徐々に傾斜する形状をすることで、同様に小指が斜めブロック４０をつかみやすく、小指の長さが短いからである。
【００４２】
本実施例では、親指支持ブロック６０が打球板１０の垂直中心線７０上にあり、親指支持ブロック６０が垂直中心線７０に対して傾斜して設置され、左側壁６１も垂直中心線７０に対して傾斜して設置される。それにより、親指支持ブロック６０による親指の支持快適性を高めるだけでなく、親指が力を加えやすい。
【００４３】
本実施例では、ストレートグリップ部３１の右側が垂直中心線７０からはみ出しており、はみ出しサイズは大きすぎてはならず、実際の必要に応じて設計できる。それにより、接続広ネック部３０の左側からストレートグリップ部３１の右側までの距離を増加させ、把持部１００が広い掌によく適応できる。
【００４４】
本実施例では、突起部２４は中空である（未図示）。それにより、構造強度を確保する上に、ラケットの重量をできるだけ軽減させることができる。
【００４５】
又は、図８に示されるように、突起部２４に複数の孔洞２５又は貫通孔が設けられ、穴２５は突起部２４本体を貫通していない。これらの穴又は貫通孔の軸方向は上下方向としてもよく、前後方向としてもよく、好ましくは上下方向とする。
【００４６】
本実施例では、卓球ラケットのほかの構造は実施例１と同様であり、ここでは重複説明を省略する。
【００４７】
本実施例では、卓球ラケットも右利き用の構造であり、左利き用の卓球ラケットは、卓球ラケットの把持部１００を左右鏡面対称で設計すればよく、ここでは重複説明を省略する。
【００４８】
図８に示されるように、本実施例では、接続広ネック部３０の後壁面における補強ブロック２０の右端に、右へ延伸する延伸部２３がなく、突起部２４が補強ブロック２０の後壁面に接着又は成形される。突起部２４の左端が接続広ネック部３０の後壁面における補強ブロック２０の中部まで延伸し、すなわち突起部２４が接続広ネック部３０の後壁面における補強ブロック２０の中部から右へ延伸する。
【００４９】
突起部２４の後側壁は左から右に徐々に増大する弧状壁面であり、該弧状壁面も接続広ネック部３０の後壁面における補強ブロック２０の中部から右へ突起部２４の右端まで延伸する。
【００５０】
図２からわかるように、突起部２４の左端が接続広ネック部３０の後壁面における補強ブロック２０の中部まで延伸する。本実施例では、延伸部２３を撤去し、突起部２４のみが設置されており、実施例１では突起部２４が延伸部２３に設置される構造に相当し、技術効果も同じである。特に突起部２４が延伸部２３の後壁面に成形される場合、突起部２４が補強ブロック２０の後壁面に成形される構造と完全に同じである。
【００５１】
突起部２４、斜めブロック４０が接続広ネック部３０の後壁面における補強ブロック２０（具体的な位置が底部ブロック２１にある）に接着され、さらに突起部２４、斜めブロック４０及び接続広ネック部３０の後壁面における補強ブロック２０が一体成形されてもよく、例えば１枚の木を彫刻して成形される。
【００５２】
親指支持ブロック６０が接続広ネック部３０の前壁面における補強ブロック２０（具体的な位置が底部ブロック２１にある）に接着され、さらに親指支持ブロック６０と接続広ネック部３０の前壁面における補強ブロック２０が一体成形されてもよく、例えば１枚の木を彫刻して成形される。この前壁面における補強ブロック２０は、打球板の接続広ネック部３０と上へ延伸するストレートグリップ部３１が厚く又は十分に強いと、ストレートグリップ部の幅のサイズに縮小してストレートグリップ部の位置にある補助グリップストリップに簡素化することができる。
【００５３】
実施例３
本実施例は図９に示され、実施例２との相違点として、接続広ネック部３０の右端に面取りが設置され、突起部２４の外側面と自然な移行を形成する。それにより、接続広ネック部３０の右端が滑らかになり、接続広ネック部３０を把握しやすい。
【００５４】
本実施例では卓球ラケットのほかの構造は実施例２と同じであり、ここでは重複説明を省略する。
【００５５】
なお、以上の実施の形態は、本発明を説明するためのものに過ぎず、本発明を限定するものではない。当業者であれば、本発明の趣旨及び範囲を逸脱せずに、様々な変更や変形を行うことができ、従って、すべての同等技術案も本発明の範囲に属し、本発明の特許保護範囲は特許請求の範囲に定められる。
【符号の説明】
【００５６】
１０．  打球板；１１．  被覆層；１００．  把持部；２０．  補強ブロック；２１．  底部ブロック；２２．  垂直ブロック；２３．  延伸部；２４．  突起部；２５．  穴；３０．  接続広ネック部；３１．  ストレートグリップ部；４０．  斜めブロック；５０．溝；６０．  親指支持ブロック；６１．  左側壁；７０．垂直中心線。
【国際調査報告】
2019514657.tif 000012
2019514657.tif 000013
2019514657.tif 000014
2019514657.tif 000015